(57)【要約】【課題】横に開閉する金型を備えた射出成形機において、成形品がチャックに把持されたランナーから離れて落ちるときに、潤滑油が塗布されている金型のガイド軸との接触を回避できるようにする。【解決手段】横に開閉する金型１、２を備えた射出成形機用の取り出し装置であって、取り出し装置の作動に同調して、金型のガイド軸３の内側面と成形品９の外側との間に沿って縦に挿入される成形品排出用の誘導板８を備えたことを特徴とする取り出し装置である。【選択図】　　　　図１
2004136531.tif 000002
【特許請求の範囲】
【請求項１】
横に開閉する金型を備えた射出成形機用の取り出し装置であって、取り出し装置の作動に同期して、金型の開閉をガイドするガイド軸の内側面と成形品の外側との間に沿って縦に挿入される成形品排出用の誘導板を備えたことを特徴とする取り出し装置。
【請求項２】
前記誘導板は、前記取り出し装置のチャック昇降軸の下部に備えたブラケットに、金型の開閉方向と直交して横架したレールに移動可能に保持させた左右一対の取付け板にそれぞれ固定されて、上記チャック昇降軸の下降時に、前記ガイド軸の内側面と成形品の外側との間に沿って下降する左右一対の誘導板からなることを特徴とする請求項１記載の射出成形機用の取り出し装置。
【請求項３】
前記誘導板は、前記金型の開閉空間の下部に設置されて、前記取り出し装置の作動に同期して作動する流体圧力装置のプランジャーの上端部に取り付けられ、前記ガイド軸の内側面と成形品の外側との間に沿って斜めに昇降する左右一対の誘導板からなることを特徴とする請求項１記載の射出成形機用の取り出し装置。
【発明の詳細な説明】
【０００１】
【発明が属する技術分野】
この発明は、例えば、小容量のカップのような小物を一度に複数個ずつ成形する装置のように、横に開閉する金型を備えた射出成形機用の取り出し装置であって、金型が横に開いたときに射出成形機の上方から下降して、射出成形機から押し出される成形品のセンターランナーを下端に備えたチャックで把持して成形品からランナーを外して上昇し、一方、ランナーから離れた成形品を落下させるように用いられる取り出し装置に関する。
【０００２】
【従来の技術】
従来、上下に開閉する金型を備えた射出成形機においては、一方の金型を移動可能に備え、この移動金型を成形位置から横に移動させ、その移動位置に射出成形機と平行して備えられた取り出し装置のチャックに把持させて、ランナーと成形品をテーブルの上で離すようにしたものがある（例えば、特許文献１参照）。
しかしながら、横に開閉する金型を備え、一度に複数個の製品を得られるようにした比較的に小型の射出成形機においては、金型が開閉する空間の上方に取り出し装置を設けて、開放された金型の間にチャックを下降させ、一方の金型に貼り付いているセンターライナーを把持させて、成形品からランナーを外して上昇する一方、ランナーから離れた成形品を落下させるようにした取り出し装置が用いられている（例えば、特許文献２参照）。
【０００３】
【特許文献１】
特開平１１−１９９８２号公報（第１、３頁、第１図）
【特許文献２】
特公平４−７８９１号公報（第１、２頁、第１図）
【０００４】
【発明が解決しようとする課題】
横に開閉する金型を備えた射出成形機においては、チャックに把持されたランナーから離れる成形品がバラバラになって落ちるときに、開閉する金型のスライドをガイドするガイド軸に接して落ちる場合がある。ガイド軸は金型の開放空間内に位置して、表面には金型のスライドをスムーズに行わせるための潤滑油が塗布されている。そのため、落下の際にガイド軸と接した製品は油で汚れてしまい、汚れ落としが必要になる。
このようなことから本発明が解決しようとする課題は、ランナーから離れて落ちる成形品をガイド軸から回避させて油に接しさせないようにすることにある。
【０００５】
【課題を解決するための手段】
そこで本発明は、上記の課題を解決するために、横に開閉する金型を備えた射出成形機用の取り出し装置であって、取り出し装置の作動に同期して、金型の開閉をガイドするガイド軸の内側面と成形品の外側との間に沿って縦に挿入される成形品排出用の誘導板を備えたことを特徴とする取り出し装置を提供するものである。
【０００６】
取り出し装置と同調して金型の開放時に作動する成形品排出用の誘導板は、金型の開放空間内に取り出し装置のチャックと共にあってガイド軸の内側面と成形品の外側との間に沿って縦に挿入される。したがって、金型から落下する成形品は、該誘導板に遮られてガイド軸に接することなく落下する（図１、２参照）。
【０００７】
取り出し装置のチャック昇降軸の下部に備えたブラケットに、金型の開閉方向と直交して横架したレールに左右一対の取付け板を移動可能に保持させ、この取付け板にそれぞれ本発明に係る誘導板を固定して、この左右一対の誘導板をチャック昇降軸の下降時に、ガイド軸の内側面と成形品の外側との間に沿って一体に下降させるようにした請求項２の発明によれば、金型の成形幅の変更に応じてレール上の誘導板の固定位置を変えることができるとともに、誘導板の設置を簡易化して取り出し装置との共同動作が正確になる利点がある。
【０００８】
射出成形機の金型の開閉空間の下方に、取り出し装置とは別体に備えられ、取り出し装置の作動に同期して作動する流体圧力装置を設置し、この流体圧力装置のプランジャーの上端部に本発明に係る誘導板を取り付けて、この誘導板をガイド軸の内側面と成形品の外側との間に沿って斜めに昇降させるようにした請求項３の発明によれば、可動側の金型にピンゲートが形成されている場合に、成形品とガイド軸との接触を回避させることができる。
【０００９】
【実施例】
以下に本発明の実施例を図面について説明する。
図１は、射出成形機の金型を開いた状態における実施例の一部切欠正面図、図２は、金型の開放状態を示す一部切欠側面図である。
【００１０】
実施例を示す図面において、１は、コア側の金型、２は、コア側の金型１に対して横に開閉するキャビティ側の金型、３は図１に示すように、コア側の金型１の端面の各角部に接近して突設され、両金型１、２が開閉する場合に、キャビティ側の金型２の開閉動作をガイドする上下左右計４本のガイド軸、４は、成形機の上方に設置された図示省略の取り出し機本体から垂下され、成形機の作動に同調して昇降するチャック昇降軸、５は、チャック昇降軸４の下端に備えたチャック支持部、６は、チャック支持部５の下端に備えられ、金型２の開閉動作に連動して開閉動作するチャックである。
上記したコア側金型１、キャビティ側金型２、ガイド軸３、チャック昇降軸４、チャック支持部５およびチャック６の構造と相互の作動については、射出成形機、取り出し機本体とともに従来公知のものを使用するので詳細な説明を省略する。
【００１１】
さらに図中、７は、キャビティ側金型２がコア側金型１から離れることによって形成される開放空間、８は、図１に示すように、開放空間７内で計４本のガイド軸３の各内側面に沿って縦に挿入されるよう金型１の端面に向かって左右一対をなすように備えた成形品排出用の誘導板、９は、両金型１、２が開いたときに押し出されて開放空間７内でコア側の金型１の端面に表れる図示計６個の成形品、１０は、成形品９間を連結するランナー、１１は、ランナー１０の中心から突出するセンターランナーである。
【００１２】
図１、２中に実線で示す誘導板８は、チャック支持部５の前面に備えたブラケット１２に金型１、２の開閉方向と直交して横架したレール１３と、該レール１３に横への調節を可能にして固定された取付け板１４を介してチャック支持部５と一体に連なり、チャック昇降軸４と一体に昇降する。
この誘導板８は、チャック支持部５の下降と共に、開放空間７内に縦２列に突出する各成形品９の両外側に縦に挿入され、図１に示すように、左右両側で成形品９とガイド軸３の内側面との間を遮る。
【００１３】
金型１、２の開放時に、チャック支持部５と共に下降するチャック６は、その下降限で、開放空間７内に突出しているセンターランナー１１を把持した後、ランナー１０と共に所定高さを上昇することによって、各成形品９をランナー１０から外し、上昇限で横に略９０°回転してランナー１０とセンターランナー１１の把持を開放し、初期位置に復帰する。
【００１４】
ランナー１０から外れる成形品９はバラバラになって自然落下するが、外れる際に外側に向けて落ちるものもある。垂直に落下しない成形品９は、誘導板８に当たってガイド軸３との接触を回避されて落下する。
前述のように、各ガイド軸３の表面は、型の開閉動作をスムーズにする潤滑油が塗布されているが、誘導板８の遮蔽によって成形品９との間が遮られるので、成形品９に油汚れを生じさせない。
【００１５】
上記のようにして成形品９の落下をガイドする誘導板８の設置は、チャック支持部５と一体に設ける場合に限らず、例えば、センターランナーをキャビティ金型側に形成させるピンゲートの場合などには、図１中の虚線矢印方向に沿って斜めに昇降する誘導板１５を開放空間７の下方に設け、この誘導板１５を取り出し機に同調する図示省略の圧力流体装置のプランジャーに駆動させて、成形品９とガイド軸３との接触を回避させるようにしても良い。
【００１６】
【発明の効果】
前記のように構成し、上記のように用いられるようにした本発明取り出し装置は、誘導板の付設により成形品とガイド軸との接触を回避した成形ができる。したがって、油汚れのない成形品を得ることによって、従来必要とされていた油汚れ落としの工程を省くことができ、製品のコストダウンができる。本発明には以上のように優れた利点があって、実用性に富むという効果を有する。
【図面の簡単な説明】
【図１】図１は、射出成形機の金型を開いた状態における実施例の一部切欠正面図
【図２】図２は、金型の開放状態を示す一部切欠側面図である。
【符号の説明】
１　　コア側の金型
２　　キャビティ側の金型
３　　ガイド軸
４　　チャック昇降軸
５　　チャック支持部
６　　チャック
７　　開放空間
８　　誘導板
９　　成形品
１０　ランナー
１１　センターランナー
１２　ブラケット
１３　レール
１４　取付け板
１５　誘導板
【図１】
2004136531.tif 000003
【図２】
2004136531.tif 000004